(57)【要約】【課題】矢板に対する腹起こしの装着作業を容易に行うことができる腹起こし支持装置を提供する。【解決手段】支持棒１４の本体１５の上端部に連結された被係止爪１７を矢板１３の上端縁に係止する。前記本体１５に形成された多数の掛止孔１５ａの上下に隣接する二つの掛止孔１５ａに対し、ブラケット１９に設けられた被掛止爪２０，２１を取り外し可能に掛止する。前記ブラケット１９に腹起こし２２を水平状態で支持する。【選択図】図２
2009041339.tif 000002
【特許請求の範囲】
【請求項１】
支持棒の本体の上端部に対し、矢板の上端縁に係止される被係止部を設け、前記本体に腹起こしを支持するためのブラケットに設けた被掛止部を取り外し可能に掛止するための掛止部を設けたことを特徴とする腹起こし支持装置。
【請求項２】
請求項１において、前記本体には前記ブラケットに設けた被掛止部としての被掛止爪を掛止するための掛止部としての掛止孔が所定のピッチで該本体の長手方向に複数箇所に形成され、前記ブラケットの掛止位置を上下方向に調節することができるように構成されていることを特徴とする腹起こし支持装置。
【請求項３】
請求項１又は２において、前記本体の掛止部には、該本体と協働して梯子を構成するステップに設けた被掛止部が取り外し可能に掛止されるようになっていることを特徴とする腹起こし支持装置。
【請求項４】
請求項１〜３のいずれか一項において、前記ステップは平面視で偏平Ｕ字状に形成され、該ステップの両端部には、互いに上下方向に指向するように並設された二本の前記本体の掛止部に掛止される被掛止部が設けられていることを特徴とする腹起こし支持装置。
【請求項５】
請求項１〜４のいずれか一項において、前記支持棒の本体に直列に連結される第１補助支持棒を備え、該第１補助支持棒の本体に対し前記ブラケットに設けた被掛止部を取り外し可能に掛止するための掛止部を設けたことを特徴とする腹起こし支持装置。
【請求項６】
請求項５において、前記第１補助支持棒の下端部に取り外し可能に連結される第２補助支持棒を備え、該第２補助支持棒には、前記ブラケットに設けた被掛止部を掛止する掛止部が設けられていることを特徴とする腹起こし支持装置。
【請求項７】
請求項６において、前記支持棒、第１及び第２補助支持棒の本体は、チャンネル状に形成されていることを特徴とする腹起こし支持装置。
【請求項８】
請求項６又は７において、前記第１補助支持棒の本体の上端部には、支持棒の本体に設けた掛止孔に掛止される上部連結爪が連結され、第１補助支持棒の本体の下端部には、第２補助支持棒の掛止孔に掛止される下部連結爪が連結されていることを特徴とする腹起こし支持装置。
【請求項９】
請求項１〜８のいずれか一項において、前記支持棒の本体の上端部に設けた被係止部は水平方向の回動可能に装着されていることを特徴とする腹起こし支持装置。
【発明の詳細な説明】
【技術分野】
【０００１】
本発明は、道路等に例えばパワーショベルによって掘削された溝の左右両側面の土砂の崩落を防止するために設置された矢板を所定位置に保持するための腹起こしを所定の高さ位置に支持することができる腹起こし支持装置に関する。
【背景技術】
【０００２】
従来の鋼矢板の腹起こしを支持する方法として、腹起こしに取り付けたブラケットにロープやワイヤーの一端を連結し、ロープやワイヤーの他端を前記矢板の上端縁に掛止するようになっている。そして、左右一対の矢板に沿うように支持された左右一対の腹起こしには、サポート部材が水平に架設され、左右一対の腹起こしが前記サポート部材によって所定の位置に保持され、左右一対の矢板が所定位置に保持される。
【発明の開示】
【発明が解決しようとする課題】
【０００３】
ところが、上記従来の腹起こしの支持方法は、ロープやワイヤーで腹起こしを支持するので、矢板に対する腹起こしの装着作業が非常に面倒であるという問題があった。
本発明の主たる目的は、上記従来の技術に存する問題点を解消して、矢板に対する腹起こしの装着作業を容易に行うことができる腹起こし支持装置を提供することにある。
【０００４】
本発明の別の目的は、上記の目的に加えて、梯子として使用することができる腹起こし支持装置を提供することにある。
【課題を解決するための手段】
【０００５】
上記問題点を解決するために、請求項１に記載の発明は、支持棒の本体の上端部に対し、矢板の上端縁に係止される被係止部を設け、前記本体に腹起こしを支持するためのブラケットに設けた被掛止部を取り外し可能に掛止するための掛止部を設けたことを要旨とする。
【０００６】
請求項２に記載の発明は、請求項１において、前記本体には前記ブラケットに設けた被掛止部としての被掛止爪を掛止するための掛止部としての掛止孔が所定のピッチで該本体の長手方向に複数箇所に形成され、前記ブラケットの掛止位置を上下方向に調節することができるように構成されていることを要旨とする。
【０００７】
請求項３に記載の発明は、請求項１又は２において、前記本体の掛止部には、該本体と協働して梯子を構成するステップに設けた被掛止部が取り外し可能に掛止されるようになっていることを要旨とする。
【０００８】
請求項４に記載の発明は、請求項１〜３のいずれか一項において、前記ステップは平面視で偏平Ｕ字状に形成され、該ステップの両端部には、互いに上下方向に指向するように並設された二本の前記本体の掛止部に掛止される被掛止部が設けられていることを要旨とする。
【０００９】
請求項５に記載の発明は、請求項１〜４のいずれか一項において、前記支持棒の本体に直列に連結される第１補助支持棒を備え、該第１補助支持棒の本体に対し前記ブラケットに設けた被掛止部を取り外し可能に掛止するための掛止部を設けたことを要旨とする。
【００１０】
請求項６に記載の発明は、請求項５において、前記第１補助支持棒の下端部に取り外し可能に連結される第２補助支持棒を備え、該第２補助支持棒には、前記ブラケットに設けた被掛止部を掛止する掛止部が設けられていることを要旨とする。
【００１１】
請求項７に記載の発明は、請求項６において、前記支持棒、第１及び第２補助支持棒の本体は、チャンネル状に形成されていることを要旨とする。
請求項８に記載の発明は、請求項６又は７において、前記第１補助支持棒の本体の上端部には、支持棒の本体に設けた掛止孔に掛止される上部連結爪が連結され、第１補助支持棒の本体の下端部には、第２補助支持棒の掛止孔に掛止される下部連結爪が連結されていることを要旨とする。
【００１２】
請求項９に記載の発明は、請求項１〜８のいずれか一項において、前記支持棒の本体の上端部に設けた被係止部は水平方向の回動可能に装着されていることを要旨とする。
（作用）
この発明は支持棒の本体の上端部に設けた被係止部を矢板の上端縁に係止した後、ブラケットに設けた被掛止部を本体に設けた掛止部に掛止して本体にブラケットを取り付け、該ブラケットに腹起こしを支持する。
【発明の効果】
【００１３】
請求項１〜９のいずれか一項に記載の発明によれば、矢板に対する腹起こしの装着作業を容易に行うことができる。
請求項３に記載の発明によれば、上記効果に加えて支持棒にステップを装着することにより支持棒を梯子として使用することができる。
【発明を実施するための最良の形態】
【００１４】
以下、本発明を具体化した腹起こし支持装置の一実施形態を図１〜図５に従って説明する。
図５に示すように、道路１１にパワーショベル等により掘削された縦長の溝１２の左右両側面には左右一対の鋼製の矢板１３が上下方向に指向するように配設されている。前記矢板１３は図１に示すように波板状に形成されている。前記矢板１３には腹起こし２２を支持するための支持棒１４が装着されている。この支持棒１４は図３に示すように例えば鉄あるいはアルミニウム合金製のチャンネル状をなす本体１５と、該本体１５の上端部に連結ピン１６によって水平方向の回動可能に連結された被係止部としての被係止爪１７と、本体１５の上端部に上下方向の回動可能に連結されたＵ字状の取手１８とによって構成されている。図２に示すように前記支持棒１４の被係止爪１７を前記矢板１３の上端部に係止することによって、矢板１３に支持棒１４が上下方向に指向するように吊下されている。前記支持棒１４の本体１５には掛止孔１５ａが多数箇所（例えば８〜３０箇所）に等ピッチで該本体１５の長手方向に形成されている。前記本体１５の側面には、前記掛止孔１５ａの個数をカウントするための目安となる目安孔１５ｂが形成されている。この実施形態では、五つの掛止孔１５ａ毎に一つの目安孔１５ｂが形成されているが、これに代えて例えば１〜３０の数字を表示してもよい。
【００１５】
前記本体１５の掛止孔１５ａに掛け止めされ、かつ腹起こし２２を支持するブラケット１９は、図２及び図３に示すように前記本体１５の前面に接触される丸棒状の第１垂直部１９ａと、該第１垂直部１９ａの上端部に水平に折り曲げ形成された水平部１９ｂと、該水平部１９ｂの先端部に上方に一体に折り曲げ形成された第２垂直部１９ｃと、前記第１垂直部１９ａに溶接され、かつ前記本体１５の二つの掛止孔１５ａに掛け止めされる被掛止部としての上下一対の被掛止爪２０，２１とによって構成されている。
【００１６】
図１に示すように、前記矢板１３には水平方向に所定の距離をおいて、前記支持棒１４が複数箇所に装着され、各支持棒１４の本体１５の二つの掛止孔１５ａには前記ブラケット１９の二つの被掛止爪２０，２１が掛止されている。（図２参照）そして、前記各ブラケット１９に腹起こし２２を水平に支持し、図５に示すように左右一対の腹起こし２２を、サポート部材２３によって所定位置に保持し、左右一対の矢板１３をそれぞれ垂直状態に保持するようにしている。
【００１７】
図３に示すように、前記支持棒１４には図５に示す前記溝１２の深さ寸法が深くなった場合に使用される第１補助支持棒２５が直列に連結されるようになっている。この第１補助支持棒２５はチャンネル状の本体２６と、本体２６の上下両端部にそれぞれ溶接によって連結された上部連結爪２７と下部連結爪２８とによって構成されている。前記本体２６には前記掛止孔１５ａと同様の掛止部としての掛止孔２６ａが等ピッチで多数箇所に形成されるとともに、目安孔１５ｂと同様の目安孔２６ｂが形成されている。又、前記溝１２の深さ寸法がさらに深くなって、前記支持棒１４に第１補助支持棒２５を連結しても長さが不足する場合には、前記本体２６の下部連結爪２８に直列に連結される第２補助支持棒２９が用いられる。この第２補助支持棒２９の本体にも前記掛止孔１５ａ及び目安孔１５ｂと同様に掛止部としての掛止孔２９ａ及び目安孔２９ｂが形成されている。
【００１８】
次に、前記のように構成された支持棒１４、ブラケット１９、腹起こし２２及びサポート部材２３を用いて、前記矢板１３を溝１２内の所定位置に装設する作業について説明する。
【００１９】
最初に、図５に示すように道路１１に掘削された溝１２の左右両側壁に沿うように矢板１３を立設する。このとき矢板１３の下端部が溝１２の底面から下方に打ち込まれる。次に、図１に示すように、前記矢板１３の上端縁に対し複数の支持棒１４の上端部に設けた被係止爪１７を係止する。各支持棒１４の本体１５に設けた掛止孔１５a にブラケット１９の被掛止爪２０，２１を掛止する。図５に示すように、前記支持棒１４に装着された各ブラケット１９に腹起こし２２を水平状態で支持する。最後に、前記左右一対の腹起こし２２に対し前記サポート部材２３を架設し、矢板１３及び腹起こし２２を所定位置に保持する。
【００２０】
上記実施形態の腹起こし支持装置によれば、以下のような効果を得ることができる。
（１）上記実施形態では、支持棒１４の本体１５の上端部に設けられた被係止爪１７を矢板１３の上端に係止するとともに、前記本体１５の掛止孔１５ａにブラケット１９の被掛止爪２０，２１を掛止するようにしたので、前記矢板１３に対し腹起こし２２を所望する高さに容易に装着することができる。
【００２１】
（２）上記実施形態では、前記支持棒１４の本体１５に掛止孔１５ａを等ピッチで多数箇所に形成したので、異なる前記掛止孔１５ａにブラケット１９の被掛止爪２０，２１を掛止することにより、ブラケット１９の上下方向の取付位置を容易に調節することができる。
【００２２】
（３）上記実施形態では、支持棒１４に対し第１補助支持棒２５及び第２補助支持棒２９を順次直列に連結可能に構成したので、道路１１に設けた溝１２の深さ寸法が深くなった場合に、支持棒全体の長さを適正長さに調節することができる。
【００２３】
（４）上記実施形態では、本体１５の上端部に連結ピン１６によって被係止爪１７を水平方向の回動可能に連結したので、矢板１３の平面形状が異なった場合に、被係止爪１７を回動して適正位置に被係止爪１７を係止することができる。
【００２４】
（５）上記実施形態では、前記本体１５の上部に取手１８を設けたので、矢板１３に対する支持棒１４の吊下作業時において、取手１８を持って、支持棒１４を支持することができ、矢板１３に対する支持棒１４の脱着作業を容易に行うことができる。
【００２５】
（６）上記実施形態では、支持棒１４の本体１５、第１補助支持棒２５の本体２６及び第２補助支持棒２９の本体をチャンネル状に形成したので、平板状のものと比較して支持棒の剛性を向上することができる。
【００２６】
次に、この発明の別の実施形態を図６及び図７に基づいて説明する。
この実施形態では図６に示すように複数本の前記支持棒１４の本体１５の掛止孔１５ａに対し、梯子を形成するためのステップ３１を取り外し可能に装着している。このステップ３１は平面視で偏平Ｕ字状の本体３２と、本体３２の両端部に溶接によって上下方向に指向するように連結された取付板３３と、両取付板３３の前面に溶接によって連結された被掛止部としての上下一対の被掛止爪３４，３５とによって構成されている。
【００２７】
前記支持棒１４、第１補助支持棒２５及び第２補助支持棒２９に対し、前記ステップ３１を上下方向に所定間隔をおいて複数箇所に装着することによって、梯子を構成することができる。このため、梯子を利用して作業者が深い溝１２の内部に容易に出入りすることができる。
【００２８】
なお、上記実施形態は以下のように変更してもよい。
・前記ステップ３１を１本の支持棒１４に装着できる構成としてもよい。
・支持棒１４に対し前記上部連結爪２７に相当する連結爪を取り付けたり、前記第２補助支持棒２９に対し前記下部連結爪２８に相当する連結爪を取り付けたりしてもよい。
【００２９】
・前記本体１５に設けた各掛止孔１５ａに代えて、掛止部としての掛止爪を設け、前記ブラケット１９の第１垂直部１９ａに前記掛止爪に掛止される被掛止部としての掛止孔を形成してもよい。同様に図７に示すステップ３１の取付板３３に掛止孔を形成し、該掛止孔に対し本体１５に設けた掛止爪を掛止するようにしてもよい。
【００３０】
・前記本体１５に一つ以上の掛止孔１５a を形成したり、本体２６に一つ以上の掛止孔２６ａを形成したり、第２補助支持棒２９に一つ以上の掛止孔２９ａを形成したりしてもよい。
【００３１】
（定義）
この明細書において支持棒とは、前述したチャンネル状の本体以外に、丸棒状、四角柱状、帯板状の本体を備えたものも含むものとする。
【００３２】
この明細書において矢板とは、図１に示された波形状の矢板１３以外に、平板状の板、網状の板を含むものとする。
【図面の簡単な説明】
【００３３】
【図１】この発明を具体化した腹起こし支持装置の一実施形態を示す斜視図。
【図２】支持装置の要部を拡大して示す縦断面図。
【図３】支持棒、第１補助支持棒及び第２補助支持棒を分離した状態を示す一部省略斜視図。
【図４】支持棒、第１補助支持棒及び第２補助支持棒を連結した状態を示す一部省略縦断面図。
【図５】腹起こし支持装置の使用状態を示す縦断面図。
【図６】この発明の別の実施形態を示す斜視図。
【図７】図６の支持棒を通る縦断面図。
【符号の説明】
【００３４】
１３…矢板、１４…支持棒、１５，２６，３２…本体、１５ａ，２６ａ，２９ａ…掛止部としての掛止孔、１７…被係止部としての被係止爪、１９…ブラケット、２０，２１…被掛止部としての被掛止爪、２２…腹起こし、２５…第１補助支持棒、２７…上部連結爪、２８…下部連結爪、２９…第２補助支持棒。
【図１】
2009041339.tif 000003
【図２】
2009041339.tif 000004
【図３】
2009041339.tif 000005
【図４】
2009041339.tif 000006
【図５】
2009041339.tif 000007
【図６】
2009041339.tif 000008
【図７】
2009041339.tif 000009